(57)【要約】【課題】使用者に安心感を与えて、安眠できるようにするための新しい構造の枕を提供する。【解決手段】本実施形態に係る枕１は、頭部が載置される頭載置部２ａを有する枕本体部２と、頭載置部２ａの両側において枕本体部２に取り付けられ、頭部の耳部に接触する２つの当て部３と、を有する。【選択図】図１
2008048977.tif 000002
【特許請求の範囲】
【請求項１】
頭部が載置される頭載置部を有する枕本体部と、
前記頭載置部の両側において前記枕本体部に設けられ、前記頭部の双方の耳部に接触可能に設けられている２つの当て部と、
を有する枕。
【請求項２】
前記当て部は、
袋体と、
前記袋体に収容された鉱石と、
を有する請求項１記載の枕。
【請求項３】
前記当て部は、前記枕本体部に着脱可能に取り付けられている、
請求項１記載の枕。
【請求項４】
前記枕本体部は、前記当て部の取り付け位置を変更可能である、
請求項３記載の枕。
【請求項５】
各前記当て部は、前記頭載置部の両側においてそれぞれ帯状に形成されており、帯状の前記当て部の両端部と前記枕本体部とが固定され、前記当て部の中央部と前記枕本体部の間が開放されている、
請求項１記載の枕。
【請求項６】
前記枕本体部は、
袋体と、
前記袋体内に積層された、互いに異なる素材からなる複数のクッション材と、
を有する請求項１記載の枕。
【発明の詳細な説明】
【技術分野】
【０００１】
本発明は、安眠に好適な枕に関する。
【背景技術】
【０００２】
従来から、様々な枕が開発されている。使用者が枕に要求する点は、いかに安眠を実現できるかということである。首への負担をなくして安眠を実現する枕として、例えば、頭を載置する中央部を窪ませた枕や、低反発ポリウレタンを用いた枕が知られている。また、通気性を向上させて安眠を実現させる枕として、袋体にそば殻を入れた枕が知られている。さらに、使用者に安心感を与えることにより安眠を実現する枕として、抱き付き枕や腕枕代用枕等が知られている（例えば、特許文献１参照）。
【特許文献１】特開２００６−１５８７３４号公報
【発明の開示】
【発明が解決しようとする課題】
【０００３】
本発明の目的は、使用者に安心感を与えて、安眠できるようにするための新しい構造の枕を提供することにある。
【課題を解決するための手段】
【０００４】
上記の目的を達成するため、本発明の枕は、頭部が載置される頭載置部を有する枕本体部と、前記頭載置部の両側において前記枕本体部に設けられ、前記頭部の双方の耳部に接触可能に設けられている２つの当て部と、を有する。
【０００５】
上記の本発明では、使用者の頭部が頭載置部に載置されると、使用者の耳部に当て部が接触するような構成となっている。したがって、枕の使用者の２つの耳部に適度な圧力がかかることにより、使用者は母の腕に抱かれているような安心感を得ることができ、安眠することができる。
【０００６】
前記当て部は、袋体と、前記袋体に収容された鉱石と、を有する。当て部は、鉱石を備えることにより、鉱石から発せられる遠赤外線エネルギーによる温熱効果や、マイナスイオンによるリラクゼーション効果により、使用者の安眠を促進させることができる。収容する鉱石は、求める効用に応じて種々変更することが可能である。
【０００７】
前記当て部は、前記枕本体部に着脱可能に取り付けられている。これにより、枕本体部の洗浄が容易になる。
【０００８】
前記枕本体部は、前記当て部の取り付け位置を変更可能である。これにより、使用者の頭の大きさに合わせて、２つの当て部の間隔を調整することができる。
【０００９】
各前記当て部は、前記頭載置部の両側においてそれぞれ帯状に形成されており、帯状の前記当て部の両端部と前記枕本体部とが固定され、前記当て部の中央部と前記枕本体部の間が開放されている。これにより、使用者の好みに応じて、当て部と枕本体部の間に腕を通した状態での睡眠が可能になる。
【００１０】
前記枕本体部は、袋体と、前記袋体内に積層された、互いに異なる素材からなる複数のクッション材と、を有する。それぞれ利点の異なる２種類以上のクッション材を積層させることにより、使用者の睡眠を促進することができる。
【発明の効果】
【００１１】
本発明によれば、使用者に安心感を与えることができ、使用者が安眠することができる。
【発明を実施するための最良の形態】
【００１２】
以下に、本発明の実施の形態について、図面を参照して説明する。
【００１３】
（第１実施形態）
図１は、本実施形態に係る枕を示す斜視図である。
図１に示すように、本実施形態に係る枕１は、使用者の頭が載置される頭載置部２ａを有する枕本体部２と、頭載置部２ａの両側において枕本体部２に取り付けられた２つの当て部３とを有する。また、必ずしも当て部３は、帯状である必要はなく、使用者の頭部が頭載置部２ａに載置された場合に使用者の耳に当接するように設けられていれば良い。
【００１４】
当て部３は、枕本体部２における使用者の耳に当たる位置に取り付けられている。当て部３は、頭載置部２ａの両側においてそれぞれ帯状に形成されている。ただし、当て部３は、枕本体部２の一辺に沿って帯状に形成されている必要はなく、枕本体部２の一部分にのみ形成されていてもよい。
【００１５】
図２（ａ）は、図１の枕１を矢印Ａ方向から見た側面図である。
図２（ａ）に示すように、例えば、当て部３の全面が枕本体部２に固定されていてもよい。例えば、当て部３の全面が枕本体部２に縫い合わせられている。なお、部材として独立した当て部３を枕本体部２に縫い合わせる必要はなく、例えば、１つの袋体を裁縫することにより、枕本体部２と当て部３とを作製してもよい。
【００１６】
または、図２（ｂ）に示すように、当て部３の両端部のみが枕本体部２に取り付けられていてもよい。図２（ｂ）は、矢印（ｂ）方向に当て部３を持ち上げて枕本体部２から当て部３が離れている様子を示す図である。当て部３の中央部と枕本体部２との間は開放状態となり、使用者の好みに応じて、当て部と枕本体部の間に腕を通した状態での睡眠が可能になる。
【００１７】
図３は、枕１の内部構造を示す断面図である。
図３に示すように、枕本体部２は、袋体２０と、袋体２０に収容された第１クッション材２１と、第１クッション材２１よりも頭の載置側に配置された、第２クッション材２２とを有する。なお、本例ではクッション材が２層構造の例を示すが、１層あるいは３層以上の構造であってもよい。なお、第１および第２クッション材２１，２２は、各々一体的な物である必要はなく、粒子状のものを散乱しないように封止したものや、液体を封止したものであってもよい。
【００１８】
袋体２０は、例えば、ポリエステルや綿からなるが、材料に限定はない。
【００１９】
第１クッション材２１は、低反発ポリウレタン等の低反発素材からなる。低反発ポリウレタンは、衝撃を吸収する性質があり、頭の重さを均一に分散し、寝ている間の頭部や首元への圧迫を抑えることができるため、無理のない自然な寝姿勢をサポートすることができる。
【００２０】
第２クッション材２２は、袋体２２ａにそば殻２２ｂを収容することにより、形成されている。袋体２２ａの材料については、袋体２０と同様である。そば殻２２ｂの通気性および適度な硬さにより、使用者の快適な安眠を実現することができる。
【００２１】
なお、クッション材として、低反発素材およびそば殻を使用する例について説明したが、他の材料を用いてもよい。例えば、クッション材として、羽根、パイマー、ヒノキ、大理石、お茶等を採用してもよい。
【００２２】
当て部３は、袋体３０と、袋体３０に収容された鉱石３１とを有する。袋体３０の材料については、袋体２０と同様に特に限定はない。鉱石３１としては、例えば、岩盤浴等で使用されている鉱石を用いることが好ましい。このような鉱石としては、天寿石、千明石、ラジウム鉱石、ゲルマニウム鉱石、トルマリン、麦飯石などがある。鉱石から発せられる遠赤外線エネルギーによる温熱効果や、マイナスイオンによるリラクゼーション効果により、使用者の安眠を促進させることができる。また、美容、健康改善効果を奏することができる。なお、袋体３０に鉱石３１以外のそば殻、羽根、パイマー、ヒノキ、お茶等を入れても良い。
【００２３】
図４は、本実施形態に係る枕１の使用状態における平面図である。
図４に示すように、使用者の頭部１０が頭載置部２ａに搭載された状態において、使用者の耳部１１が当て部３に当たるように設計されている。本実施形態に係る枕１は、乳幼児が母親に抱っこされている状態において、乳幼児の耳が母親の腕に当たっていることに着目したものである。すなわち、当て部３が、使用者の耳部１１に当たることにより、使用者は母の腕に抱かれているような安心感を得ることができ、安眠することができるのである。
【００２４】
以上説明したように、本実施形態に係る枕１によれば、枕１の使用状態において当て部３により使用者の耳部１１に適度な圧力がかかることにより、使用者は大きな安心感を得ることができ、安眠することができる。
【００２５】
（第２実施形態）
図５は、第２実施形態に係る枕１を示す平面図である。第２実施形態に係る枕１は、枕本体部２から当て部３が着脱可能に構成されているものである。図５では、当て部３を取り外した状態における枕１の平面図を示している。
【００２６】
図５に示すように、枕本体部２には、当て部３の取り付け位置に、ボタン等の取り付け具４が設けられている。例えば、当て部３の両端部に対応する位置に各取り付け具４が設けられており、合計４箇所に取り付け具４が設けられている。同様に、当て部３の両端部には、取り付け具４と着脱可能な取り付け具５が設けられている。なお、取り付け具４，５の取り付け位置に限定はない。取り付け具４，５としては、ボタン以外にも、ワンタッチで止められ、引っ張ると簡単にはがすことができる面ファスナーを採用してもよい。
【００２７】
第２実施形態では、枕本体部２から取り付け具５が着脱可能に取り付けられている。これにより、当て部３を取り外した状態で、枕本体部２の袋体２０（図３参照）を洗濯することができる。
【００２８】
（第３実施形態）
図６は、第３実施形態に係る枕１を説明するための平面図である。第３実施形態に係る枕１は、枕本体部２への当て部３の取り付け位置を調整可能なものである。図５では、当て部３を取り外した状態における枕１の平面図を示している。
【００２９】
図６に示すように、帯状の当て部３の端部には、２つの取り付け具５ａ，５ｂが設けられている。当て部３の端部において、２つの取り付け具５ａ，５ｂの位置が異なることから、取り付け具５ａを取り付け具４に固定した場合と、取り付け具５ｂを取り付け具４に固定した場合とでは、当て部３の位置が異なることになる。なお、当て部３に複数の取り付け具を設けても、枕本体部に複数の取り付け具を設けても、双方に設けても良い。
【００３０】
例えば、図７に示すように、取り付け具４に取り付け具５ａを固定した場合には、図中実線で描く位置に当て部３が取り付けられ、取り付け具４に取り付け具５ｂを固定した場合には、図中破線で描く位置に当て部３が取り付けられる。なお、当て部３の位置を調整可能な取り付け具としては、ボタン以外にも、面ファスナーを採用してもよい。
【００３１】
このように、当て部３の位置を調整可能とすることにより、２つの当て部３の間隔を調整することができる。本実施形態では、２種類の間隔Ｗ１、Ｗ２に調整することができる。なお、取り付け具としてのボタンの数を増やせば、３種類以上の間隔に調整することもできる。また、取り付け具として、面ファスナーを採用することにより、２つの当て部３の間幅を連続的に調整することができる。
【００３２】
これにより、使用者の頭部１０の大きさに合わせて当て部３の間隔を調整することができる。当て部３の間隔を調整することにより、１つの枕１で男性あるいは女性の双方に使用可能であったり、大人用、子供用の双方に使用可能な枕を実現することができる。また、面ファスナーを採用することにより、幼児から大人まで使用可能な枕を提供できる。
【００３３】
本発明は、上記の実施形態の説明に限定されない。
例えば、本実施形態で挙げた材料は一例であり、これに限定されるものではない。
その他、本発明の要旨を逸脱しない範囲で、種々の変更が可能である。
【図面の簡単な説明】
【００３４】
【図１】第１実施形態に係る枕を示す斜視図である。
【図２】図１のＡ方向から見た枕の側面図である。
【図３】枕の内部構造を示す断面図である。
【図４】枕の使用形態を示す平面図である。
【図５】第２実施形態に係る枕を示す平面図である。
【図６】第３実施形態に係る枕を示す平面図である。
【図７】第３実施形態に係る枕の使用形態を示す平面図である。
【符号の説明】
【００３５】
１…枕、２…枕本体部、２ａ…頭載置部、３…当て部、４…取り付け具、５，５ａ，５ｂ…取り付け具、１０…頭部、１１…耳部、２０…袋体、２１…第１クッション材、２２…第２クッション材、２２ａ…袋体、２２ｂ…そば殻、３０…袋体、３１…鉱石
【図１】
2008048977.tif 000003
【図２】
2008048977.tif 000004
【図３】
2008048977.tif 000005
【図４】
2008048977.tif 000006
【図５】
2008048977.tif 000007
【図６】
2008048977.tif 000008
【図７】
2008048977.tif 000009